(57)【要約】    【課題】      特定のチャネルの平均受信信号電力を求める際に、このチャネルの平均受信信号電力を正確に求めつつ、平均化の演算量を低減すると共に演算器に要求されるダイナミックレンジを小さくすること。    【解決手段】  制御信号Ｃ１２は、ＡＧＣ部の動作モードおよび受信信号電力平均区間を指示する。また、制御信号Ｃ１２には、ゲインレベル更新後にゲインレベルを固定する旨の指示も含まれている。ＡＧＣ部は、制御信号Ｃ１２によって指定された受信信号電力平均区間において受信電力を計算し、ゲインレベルを計算する。そして、ゲインレベルをＧ(０)からＧ(１)に更新する。更に、ゲインレベル固定指示に従い、ゲインアンプの動作状態をゲインレベル固定モードに遷移させ、ゲインレベルの固定指示が解除されるまで、ゲインレベルをＧ(１)から更新させないようにゲインアンプを制御する。  【選択図】      図４
2005167390.tif 000002
【特許請求の範囲】
【請求項１】
特定のチャネルの受信電力を複数シンボルに渡って平均化する平均化手段と、
受信信号を当該受信信号の受信電力に応じた増幅利得で増幅する増幅手段と、
前記平均化手段が平均化を行う期間において前記増幅手段の増幅利得を一定に制御する制御手段と、
を具備することを特徴とする無線受信装置。
【請求項２】
前記特定のチャネルは、
間欠受信モードにおけるページングチャネルまたはランダムアクセスにおける呼応答チャネルである、
ことを特徴とする請求項１記載の無線受信装置。
【請求項３】
前記制御手段は、
前記増幅手段の増幅利得を一定にする旨の制御信号を前記平均化手段が平均化を開始するタイミングより以前の所定のタイミングで送信する、
ことを特徴とする請求項１記載の無線受信装置。
【請求項４】
前記所定のタイミングは、
前記増幅手段が受信信号の受信電力に応じた増幅利得を求める際に要する時間に基づいて決定される、
ことを特徴とする請求項３記載の無線受信装置。
【請求項５】
請求項１から請求項４のいずれかに記載の無線受信装置を具備することを特徴とする移動端末装置。
【請求項６】
間欠受信モードにおけるページングチャネルまたはランダムアクセスにおける呼応答チャネルを受信している期間においては、ＡＧＣ制御の増幅利得を一定とすることを特徴とするＡＧＣ制御方法。
【請求項７】
受信された特定のチャネルの受信電力を複数シンボルに渡って平均化する平均化ステップと、
受信信号を当該受信信号の受信電力に応じた増幅利得で増幅する増幅ステップと、
前記平均化ステップにおいて平均化が行われる期間において、前記増幅ステップにおける増幅利得を一定に制御する制御ステップと、
をコンピュータに実行させることを特徴とするＡＧＣ制御プログラム。
【発明の詳細な説明】
【技術分野】
【０００１】
本発明は、Ｗ−ＣＤＭＡ等の方式を採用した通信システムにおける無線受信装置およびＡＧＣ制御方法に関する。
【背景技術】
【０００２】
例えば、Ｗ−ＣＤＭＡ（Wideband - Code Division Multiple Access）方式の移動体通信システムでは、無線受信装置は、弱電界または強電界のいずれのエリアにおいても、同一チャネル内の自機宛てのデータと他ユーザ宛てのデータとを正しく識別するために、Ａ／Ｄコンバータの入力信号の振幅を所定の範囲内に抑えることが必要である。この目的のために、一般的に無線受信装置にはＡＧＣ（Automatic Gain Control）回路が設けられている。
【０００３】
ＡＧＣ回路の基本動作は、受信信号電力を測定し、目標値との比較により制御信号を発生させ、その制御信号により可変利得アンプのゲイン（増幅利得）を変化させるというものである。
【０００４】
図９は、従来の無線受信装置のＡＧＣ制御の手順をゲインアンプのゲインレベルと共に時間軸上に示した図である（例えば、特許文献１参照）。
【０００５】
この無線受信装置は、ＡＧＣ初期化指示（制御信号Ｃ１）によって、時刻ｔ１において、間欠受信モードにおけるスリープ状態等から復帰する。そして、この指示によってＡＧＣ回路は内部状態の初期化を行い、またゲインアンプのゲインレベルを初期値Ｇ(０)に設定する。次に、初期化処理以降の通常時のＡＧＣ回路の動作を制御するＡＧＣ制御指示（制御信号Ｃ２）がなされる。この指示に対し、ＡＧＣ回路は、受信電力の測定を開始し（時刻ｔ２からｔ３までの期間）、測定受信電力に基づくゲインレベルの計算等を行い、時刻ｔ４においてゲインアンプのゲインレベルをＧ(０)からＧ(１)に更新する。以降、時刻ｔ５、ｔ８、・・・から開始されるＡＧＣ制御も時刻ｔ２における指示と同様の指示（制御信号Ｃ２）の下に行われ、ゲインレベルはＧ(１)、Ｇ(２)、・・・と随時更新される。また、各制御指示は、一定の周期ごと若しくは任意のタイミングで行われる。
【特許文献１】特開平８−２５１０５８号公報
【発明の開示】
【発明が解決しようとする課題】
【０００６】
しかしながら、従来の無線受信装置は、間欠受信時のページングチャネル（ＰＩＣＨ：Pading Indicator CHannel）またはランダムアクセス時の呼応答チャネル（ＡＩＣＨ：Acquisition Indicator CHannel）など、複数シンボルに渡って受信信号電力を平均化する必要があるチャネルを受信している途中でＡＧＣ制御によりゲインアンプのゲインレベルが更新されると、各シンボルにおいてゲインレベルが異なることとなり、上記のチャネルの平均受信信号電力を正確に求めることができないという問題がある。
【０００７】
また、この問題を解決するために、以下のように、各シンボルにおけるゲインレベルの大きさを考慮して、受信信号電力の平均化を行う方法もある。例えば、受信信号電力を平均化する必要があるチャネルのシンボル長をＮ、各シンボルの受信振幅をそれぞれＳ(１)、Ｓ(２)、…、Ｓ(Ｎ)とし、各シンボルにおけるゲインアンプの振幅の次元におけるレベルをそれぞれＧ(１)、Ｇ(２)、…、Ｇ(Ｎ)とすると、受信信号電力の平均値Ｖ＿ＡＶＥは、以下の式
Ｖ＿ＡＶＥ＝｜｛Ｓ(１)×１／Ｇ(１)＋Ｓ(２)×１／Ｇ(２)＋ … 
＋Ｓ(Ｎ)×１／Ｇ(Ｎ)｝／Ｎ｜２    ・・・（式１）
により計算される。しかし、この（式１）のように、各シンボルにおけるゲインレベルを考慮するためには乗算演算が必要となり、演算量の増加を招く。また、増幅後の信号がとり得るレベル範囲をカバーするだけの入出力範囲（ダイナミックレンジ）を演算器に要求することとなり、回路規模が大きくなって移動端末装置のサイズも大きくなる。
【０００８】
本発明は、かかる点に鑑みてなされたものであり、複数シンボルに渡って受信信号電力を平均化する必要があるチャネルの平均受信信号電力を求める際に、このチャネルの平均受信信号電力を正確に求めつつ、平均化の演算量を低減すると共に演算器に要求されるダイナミックレンジを小さくすることができる無線受信装置およびＡＧＣ制御方法を提供することを目的とする。
【課題を解決するための手段】
【０００９】
本発明の無線受信装置は、特定のチャネルの受信電力を複数シンボルに渡って平均化する平均化手段と、受信信号を当該受信信号の受信電力に応じた増幅利得で増幅する増幅手段と、前記平均化手段が平均化を行う期間において前記増幅手段の増幅利得を一定に制御する制御手段と、を具備する構成を採る。
【００１０】
本発明の無線受信装置は、上記の構成において、前記特定のチャネルは、間欠受信モードにおけるページングチャネルまたはランダムアクセスにおける呼応答チャネルである構成を採る。
【００１１】
本発明の無線受信装置は、上記の構成において、前記制御手段は、前記増幅手段の増幅利得を一定にする旨の制御信号を前記平均化手段が平均化を開始するタイミングより以前の所定のタイミングで送信する構成を採る。
【００１２】
本発明の無線受信装置は、上記の構成において、前記所定のタイミングは、前記増幅手段が受信信号の受信電力に応じた増幅利得を求める際に要する時間に基づいて決定される構成を採る。
【００１３】
これらの構成によれば、間欠受信モードにおけるページングチャネル、またはランダムアクセスにおける呼応答チャネルのように、受信電力を複数シンボルに渡って平均化する必要のあるチャネルを受信する期間においては、ＡＧＣ制御の増幅利得を一定とするため、このチャネルの平均受信信号電力を正確に求めつつ、平均化の演算量を低減すると共に、演算器に要求されるダイナミックレンジを小さくすることができる。
【００１４】
本発明の移動端末装置は、上記いずれかに記載の無線受信装置を具備する構成を採る。
【００１５】
この構成によれば、上記と同様の作用効果を有する移動端末装置を提供することができる。
【００１６】
本発明のＡＧＣ制御方法は、間欠受信モードにおけるページングチャネルまたはランダムアクセスにおける呼応答チャネルを受信している期間においては、ＡＧＣ制御の増幅利得を一定とするようにした。
【００１７】
本発明のＡＧＣ制御プログラムは、受信された特定のチャネルの受信電力を複数シンボルに渡って平均化する平均化ステップと、受信信号を当該受信信号の受信電力に応じた増幅利得で増幅する増幅ステップと、前記平均化ステップにおいて平均化が行われる期間において、前記増幅ステップにおける増幅利得を一定に制御する制御ステップと、をコンピュータに実行させるようにした。
【００１８】
この方法またはプログラムによれば、間欠受信モードにおけるページングチャネル、またはランダムアクセスにおける呼応答チャネルのように、受信電力を複数シンボルに渡って平均化する必要のあるチャネルを受信する期間においては、ＡＧＣ制御の増幅利得を一定とするため、このチャネルの平均受信信号電力を正確に求めつつ、平均化の演算量を低減すると共に、演算器に要求されるダイナミックレンジを小さくすることができる。
【発明の効果】
【００１９】
以上説明したように、本発明によれば、複数シンボルに渡って受信信号電力を平均化する必要があるチャネルの平均受信信号電力を求める際に、このチャネルの平均受信信号電力を正確に求めつつ、平均化の演算量を低減すると共に、演算器に要求されるダイナミックレンジを小さくすることができる。よって、演算器の消費電力を低減すると共に、回路規模を縮小化することができる。
【発明を実施するための最良の形態】
【００２０】
本発明の骨子は、間欠受信モードにおけるページングチャネル（ＰＩＣＨ：Pading Indicator CHannel）、またはランダムアクセスにおける呼応答チャネル（ＡＩＣＨ：Acquisition Indicator CHannel）のように、受信電力を複数シンボルに渡って平均化する必要のあるチャネルを受信する期間においては、ＡＧＣ（Automatic Gain Control）制御の増幅利得を一定とすることである。
【００２１】
以下、本発明の実施の形態について、添付図面を参照して詳細に説明する。ここでは、無線受信装置として移動体通信システムにおける移動端末装置を例にとって説明する。なお、実施の形態１は、間欠受信モードにおいてページングチャネルを受信する場合であり、実施の形態２は、ランダムアクセスにおいて呼応答チャネルを受信する場合である。
【００２２】
（実施の形態１）
Ｗ−ＣＤＭＡ方式の通信システムにおいて、ＰＩＣＨは、移動端末装置が基地局装置から自機宛ての無線信号を着信しているか判定（着信判定）する際に用いられるチャネルである。各移動端末装置に対する制御情報がこのチャネルを介して基地局装置から時分割多重で送信される。
【００２３】
図１は、このＰＩＣＨのフレーム構成とＰＩＣＨの受信電力を求めるための受信電力平均化区間との関係を示す図である（３ＧＰＰ ＴＳ ２５．２１１参照）。
【００２４】
この図に示すように、ＰＩＣＨの受信電力平均化区間は、受信信号１フレーム中のシンボルｂＫからシンボルｂＫ＋Ｌ−１までの範囲（対象ＰＩＣＨシンボル数Ｌ）となっており、ＰＩＣＨはシンボルｂ０からｂＭ−１の範囲で送信されているのに対し、受信電力の平均化区間はそのうちの特定の一部分のみとなっている。
【００２５】
図２は、移動端末装置の間欠受信モードにおける復帰処理と上記のＰＩＣＨ受信電力平均化区間との関係を説明するための図である。
【００２６】
移動端末装置は、間欠受信モードにおいて、制御信号Ｃ１１が生成されるまではスリープ状態にある。この期間において、移動端末装置の中では、一定または任意の時刻において制御信号Ｃ１１（スリープ状態からの復帰のトリガとなる信号）を発するカウンタ等の回路のみが動作している。
【００２７】
ＰＩＣＨは、上述の通り、各移動端末装置に対する制御情報が時分割多重されており、各移動端末装置は、自機の制御情報が送信されるタイミングが一意にわかっている。よって、間欠受信モードでは、通常スリープ状態にあり、自機宛ての制御情報が送信されるタイミングに合わせてスリープ状態から一時的に復帰し、ＰＩＣＨを受信することにより着信の有無を判定し、未着信と判定された場合には再びスリープ状態に遷移する。この動作により、移動端末装置は消費電力を抑えることができる。
【００２８】
時刻ｔ１１は、ＰＩＣＨ受信のための前準備を開始するためのトリガ（制御信号Ｃ１１）を発する時刻であり（正確には、制御信号Ｃ１１の信号長だけ前のタイミングで発せられる）、移動端末装置が間欠復帰処理を開始してからＰＩＣＨ受信を開始するまでに要する時間を見越して、自機宛てのＰＩＣＨが送信される時刻ｔ１４よりも所定の時間だけ前のタイミングでトリガが発せられる。そして、ｔ１４〜ｔ１６の期間においてＰＩＣＨを受信し、着信の有無を判定する。
【００２９】
このように、移動端末装置は、自機宛てのＰＩＣＨが送信される期間が予めわかっている。そこで、本実施の形態に係る移動端末装置は、この期間においてはゲインアンプのゲイン（増幅利得）レベルを一定とするようなＡＧＣ制御を行う。
【００３０】
図３は、上記のＡＧＣ制御を可能とする本実施の形態に係る移動端末装置の主要な構成を示すブロック図である。
【００３１】
本実施の形態に係る移動端末装置は、アンテナ１０１、ＲＦ部１０２、ゲインアンプ１０３、Ａ／Ｄコンバータ（ＡＤＣ）１０４、ＡＧＣ部１０５、制御部１０６、復調部１０７、および着信判定部１０８を有する。
【００３２】
この移動端末装置の各部は以下の動作を行う。
【００３３】
ＲＦ部１０２は、アンテナ１０１で受信された無線信号に対し、周波数変換および増幅等の処理を施す。Ａ／Ｄコンバータ１０４は、増幅後の信号を量子化してディジタル信号を得る。復調部１０７は、このディジタル信号を復調する。ＡＧＣ部１０５は、ＲＦ部１０２で増幅した無線信号の受信電力を測定し、Ａ／Ｄコンバータ１０４への入力レベルが一定となるように、ＲＦ部１０２内のゲインアンプ１０３のゲインレベルを受信電力に応じて調整する。制御部１０６は、ＡＧＣ部１０５の動作モード（具体的なパラメータとしては、初期化のタイミング、スリープ区間、動作周期等）および受信電力測定区間等を制御する。
【００３４】
次いで、上記の構成を有する本実施の形態に係る移動端末装置のＡＧＣ制御方法について、図を用いて詳細に説明する。
【００３５】
図４は、本実施の形態に係る移動端末装置がスリープ状態から復帰した後のＡＧＣ制御の手順をゲインアンプ１０３のゲインレベルと共に時間軸上に示した図である。
【００３６】
制御部１０６は、上述の通り、自機宛てのＰＩＣＨの送信開始時刻ｔ１４を考慮し、所定時間前のタイミング（時刻ｔ１１）において、スリープ状態からの復帰指示の制御信号Ｃ１１を発する。移動端末装置は、この制御信号Ｃ１１によって間欠復帰処理を開始し、ＡＧＣ部１０５は、内部状態の初期化およびゲインアンプの初期レベルを設定する。
【００３７】
次に、制御部１０６は、ＡＧＣ制御指示の制御信号Ｃ１２を発し（時刻ｔ１２）、ＡＧＣ部１０５に対して動作モードおよび受信信号電力平均区間を指示する。また、これに加え制御信号Ｃ１２には、ゲインアンプ１０３のゲインレベルを更新した後に、このゲインレベルを固定する旨の指示も含まれている。
【００３８】
ＡＧＣ部１０５は、制御信号Ｃ１２によって指定された受信信号電力平均区間において受信電力を計算し、この受信電力に基づいてゲインアンプ１０３のゲインレベルを計算する。そして、ゲインアンプ１０３のゲインレベルをＧ(０)からＧ(１)に更新する（時刻ｔ１３）。更に、ＡＧＣ部１０５は、ゲインレベルを固定する旨の指示に従い、ゲインアンプ１０３の動作状態をゲインレベル固定モードに遷移させ、制御部１０６からゲインレベルの固定指示が解除されるまで、ゲインレベルをＧ(１)から更新させないようにゲインアンプ１０３を制御する。
【００３９】
なお、制御信号Ｃ１２が発せられる時刻１２は、ＡＧＣ制御における受信電力計算、ゲイン計算、ゲインアンプ１０３のゲインレベル更新、並びにゲインレベル固定モードへの遷移の各処理に要する時間を考慮し、ＰＩＣＨの受信開始時刻ｔ１４以前に一連の処理が完了するような時刻に調整される。
【００４０】
着信判定部１０８は、時刻ｔ１４〜ｔ１６においてＰＩＣＨを受信し、着信の有無を判定する。ここで、着信判定は、復調後の信号がＩＱ平面上で現れる象現と、ＰＩＣＨの受信信号電力および共通チャネル（ＣＰＩＣＨ：Common Pilot Channel）の受信信号電力の比とを用いて判定される。このとき、各チャネルの受信信号電力は、以下のように表される。
【００４１】
先ず、ＰＩＣＨのシンボル長をＮとし、ＰＩＣＨシンボルの受信振幅をそれぞれＰ(１)、Ｐ(２)、…、Ｐ(Ｎ)とし、ＣＰＩＣＨシンボルの受信振幅をそれぞれＣ(１)、Ｃ(２)、…、Ｃ(Ｎ)とし、また、各シンボルにおけるゲインアンプの振幅の次元におけるレベルをそれぞれＧ(１)、Ｇ(２)、…、Ｇ(Ｎ)とする。このとき、各シンボル間では、ゲインアンプのレベルが固定されていることにより、
Ｇ(１)＝Ｇ(２)＝ … ＝Ｇ(Ｎ)    ・・・（式２）
の関係が成り立つ。
【００４２】
従って、ＰＩＣＨの受信信号電力の平均値ＶＰ＿ＡＶＥは、
ＶＰ＿ＡＶＥ＝｜１／Ｇ(１)｛Ｐ(１)＋Ｐ(２)＋ … ＋Ｐ(Ｎ)｝／Ｎ｜２
・・・（式３）
によって計算できる。同様に、ＣＰＩＣＨの受信信号電力の平均値ＶＣ＿ＡＶＥは、
ＶＣ＿ＡＶＥ＝｜１／Ｇ(１)｛Ｃ(１)＋Ｃ(２)＋ … ＋Ｃ(Ｎ)｝／Ｎ｜２
・・・（式４）
によって計算できる。よって、ＰＩＣＨおよびＣＰＩＣＨの受信信号電力の比は、
ＶＰ＿ＡＶＥ／ＶＣ＿ＡＶＥ＝｜Ｐ(１)＋Ｐ(２)＋ … ＋Ｐ(Ｎ)｜２／｜Ｃ(１)＋Ｃ(２)＋ …
＋Ｃ(Ｎ)｜２    ・・・（式５）
によって計算することができる。
【００４３】
このように、各チャネルをシンボル間平均した電力を求めてそれぞれを比較することで、受信信号電力比を求めることができ、ゲインアンプ１０３のゲインレベルを考慮する必要は全くない。
【００４４】
更に、制御部１０６は、ＰＩＣＨの受信が完了した後にゲインアンプ１０３のゲインレベル固定モードが解除されるように、ＡＧＣ部１０５に対して新たなＡＧＣ制御指示（制御信号Ｃ１３）を発する（時刻ｔ１５）。この指示によって、ＡＧＣ部１０５は、次回のゲインレベルを求めるための処理を開始する。以降の処理は、通常のＡＧＣ制御と同様である。なお、この時刻ｔ１５も、受信電力計算等の各処理に要する時間を考慮して、ＰＩＣＨの受信完了時刻ｔ１６よりも所定時間前のタイミングとなっている。
【００４５】
なお、着信判定部１０８において、未着信と判定された場合には、この判定結果が制御部１０６に通知され、本実施の形態に係る移動端末装置は再びスリープ状態に遷移する。
【００４６】
このように、本実施の形態によれば、間欠受信モードにおいてページングチャネルを受信している期間においては、ＡＧＣ制御の増幅利得を一定とするため、受信信号の各シンボルにおけるゲインレベルを考慮する必要がなくなり、着信判定における演算量を低減すると共にこの演算器に要求されるダイナミックレンジを小さくすることができる。よって、演算器の消費電力を低減すると共に、移動端末装置の回路規模を縮小化することができる。
【００４７】
なお、本実施の形態では、ＰＩＣＨと受信信号電力を比較するチャネルがＣＰＩＣＨである場合を例にとって説明したが、比較対象のチャネルはＣＰＩＣＨと異なるチャネルであっても良い。このとき、例えば、この比較対象のチャネルの受信信号電力の平均化開始位置がＰＩＣＨの平均化開始位置よりも前のタイミングである場合には、このチャネルの平均化を開始するまでにＡＧＣ制御におけるゲインレベルの更新とレベル固定モードへの遷移が完了するように、制御信号Ｃ１２に含まれる受信電力平均区間を調整したり、制御信号Ｃ１２を発する時刻を調整する。
【００４８】
（実施の形態２）
Ｗ−ＣＤＭＡ方式の通信システムでは、複数の移動端末装置が同一の共通チャネルを介して基地局装置にランダムアクセスする場合、移動端末装置は、先ずプリアンブルと呼ばれるチャネルを基地局装置に対し送信する。このプリアンブルを受信した基地局装置は、プリアンブルに対する応答をＡＩＣＨを介して移動端末装置に返す。この基地局装置からの応答は、ＡＣＫまたはＮＡＣＫからなり、ＡＣＫを受信した移動端末装置は、基地局装置に対しアクセス（データ通信）することが可能となる。
【００４９】
図５は、上記のＡＩＣＨのフレーム構成とＡＩＣＨの受信電力を求めるための受信電力平均化区間との関係を示す図である（３ＧＰＰ ＴＳ ２５．２１１参照）。
【００５０】
この図に示すように、ＡＩＣＨの受信電力平均化区間は、シンボルａ０からシンボルａＭ−１までの範囲（対象ＡＩＣＨシンボル数Ｍ）となっており、アクセスフレーム長から見てもアクセススロット長から見ても特定の一部分となっている。
【００５１】
図６は、移動端末装置における上記のＡＩＣＨ受信電力平均化区間とランダムアクセス処理との関係を説明するための図である。
【００５２】
移動端末装置は、時刻ｔ２２、ｔ２８、ｔ３１、・・・において、プリアンブルを基地局装置に対し送信する。この処理は、基地局装置からプリアンブルに対する応答であるＡＩＣＨが送信されるまで繰り返し行われる。例えば、移動端末装置がプリアンブルを送信した時刻がｔ２２だとすると、基地局装置の応答遅延時間が経過した後の時刻ｔ２４において、ＡＩＣＨが移動端末装置で受信されることが期待される。
【００５３】
そこで、移動端末装置は、基地局装置の応答遅延時間に合わせたタイミングである時刻ｔ２４においてＡＩＣＨの受信を試みる。そして、時刻ｔ２６において、ＡＩＣＨが送信されていたか否かの判定を行う。ＡＩＣＨは、基地局装置が応答時のみ送信するチャネルであるため、プリアンブルの送信電力が低いため等の理由により基地局装置が応答をしない場合にはＡＩＣＨは送信されない。従って、移動端末装置は、ＡＩＣＨ受信のタイミング（上記の例では、時刻ｔ２４）において、ＡＩＣＨが実際に送信されているか否かを判定するため、ＡＩＣＨの受信信号電力を測定し、この受信電力および共通チャネル（ＣＰＩＣＨ）の受信信号電力の比に基づいて基地局装置の応答の有無を判定する。
【００５４】
移動端末装置は、上記のＡＩＣＨ判定の判定結果に従って、プリアンブルの再送信、データ受信の開始、またはランダムアクセスの停止を行う。図６では、時刻ｔ２６において、基地局装置からＡＩＣＨが送信されなかったと判定された場合の例、時刻ｔ３３において、基地局装置からＡＩＣＨが送信され、ＡＣＫの応答が返されたと判定された場合の例を示している。ＡＣＫの応答が返された場合は、移動端末装置はデータ通信を開始する（時刻ｔ３４）。
【００５５】
移動端末装置は、基地局装置の応答遅延時間がおよそどの程度であるかわかっているので、プリアンブルを送信してから自機宛てのＡＩＣＨが帰ってくるタイミング（期間）を予測することができる。そこで、本実施の形態に係る移動端末装置は、この期間においてはゲインアンプのアンプレベル（増幅利得）を一定とするようなＡＧＣ制御を行う。
【００５６】
図７は、上記のＡＧＣ制御を可能とする本実施の形態に係る移動端末装置の主要な構成を示すブロック図である。なお、この移動端末装置は、図３に示した移動端末装置と同様の基本的構成を有しており、同一の構成要素には同一の符号を付し、その説明を省略する。
【００５７】
この移動端末装置の特徴は、制御部２０１がプリアンブル送信部（図示せず）からプリアンブルを送信した旨の通知を受け、これに基づいてＡＧＣ制御を行うことである。
【００５８】
図８は、本実施の形態に係るＡＧＣ制御の手順をゲインアンプ１０３のゲインレベルと共に時間軸上に示した図である。
【００５９】
ランダムアクセスにおいては、移動端末装置は、実施の形態１に示したような間欠受信モードでのスリープ状態にはなく、ＡＧＣ部１０５は、制御部２０１からのＡＧＣ制御指示に応じて受信電力の計算およびゲインアンプ１０３のゲインレベルの更新を行っている。
【００６０】
制御部２０１は、プリアンブルを送信する時刻ｔ２２よりも前のタイミングの時刻ｔ２１において、ＡＧＣ制御指示の制御信号Ｃ２１を発する。この制御信号Ｃ２１は、時刻ｔ２４において行われるＡＩＣＨ受信に対するもので、ＡＧＣ部１０５に対して動作モードおよび受信信号電力平均区間を指示する。また、これに加え制御信号Ｃ２１には、ゲインアンプ１０３のゲインレベルを更新した後に、このゲインレベルを固定する旨の指示も含まれている。
【００６１】
ＡＧＣ部１０５は、この指示に応じた受信信号電力平均区間で受信電力を計算し、この受信電力に基づいてゲインアンプ１０３のゲインレベルを計算する。そして、ゲインアンプ１０３のゲインレベルをＧ(１)からＧ(２)に更新する（時刻ｔ２３）。更に、ＡＧＣ部１０５は、ゲインレベルを固定する旨の指示に従い、ゲインアンプ１０３の動作状態をゲインレベル固定モードに遷移させ、制御部２０１からゲインレベルの固定指示が解除されるまで、ゲインレベルをＧ(２)から更新させないようにゲインアンプ１０３を制御する。
【００６２】
なお、制御信号Ｃ２１が発せられる時刻ｔ２１は、ＡＧＣ制御における受信電力計算、ゲイン計算、ゲインアンプ１０３のゲインレベル更新、並びにゲインレベル固定モードへの遷移の各処理に要する時間を考慮し、ＡＩＣＨの受信開始時刻ｔ２４以前に一連の処理が完了するような時刻に調整される。
【００６３】
ＡＩＣＨ判定部２０２は、時刻ｔ２４〜ｔ２６においてＡＩＣＨを受信し、送信の有無を判定する。ここで、送信判定は、復調後の信号がＩＱ平面上で現れる象現と、ＡＩＣＨの受信信号電力および共通チャネル（ＣＰＩＣＨ）の受信信号電力の比とを用いて判定される。このＡＩＣＨ対ＣＰＩＣＨ受信信号電力の比においても、実施の形態１で示した間欠復帰時のＰＩＣＨと同様の計算が適用できる。すなわち、各チャネルをシンボル間平均した電力を求めてそれぞれを比較することで、受信信号電力比を求めることができ、ゲインアンプ１０３のゲインレベルを考慮する必要は全くない。
【００６４】
更に、制御部２０１は、ＡＩＣＨの受信が完了した後にゲインアンプ１０３のゲインレベル固定モードが解除されるように、ＡＧＣ部１０５に対して新たなＡＧＣ制御指示（制御信号Ｃ２２）を発する（時刻ｔ２５）。この指示によって、ＡＧＣ部１０５は、次回のゲインレベルを求めるための処理を開始する。以降の処理は、通常のＡＧＣ制御と同様である。
【００６５】
このように、本実施の形態によれば、ランダムアクセスにおいて呼応答チャネルを受信している期間においては、ＡＧＣ制御の増幅利得を一定とするため、受信信号の各シンボルにおけるゲインレベルを考慮する必要がなくなり、呼応答チャネルの送信判定における演算量を低減すると共にこの演算器に要求されるダイナミックレンジを小さくすることができる。よって、演算器の消費電力を低減すると共に、移動端末装置の回路規模を縮小化することができる。
【００６６】
なお、本実施の形態では、ＡＩＣＨと受信信号電力を比較するチャネルがＣＰＩＣＨである場合を例にとって説明したが、比較対象のチャネルはＣＰＩＣＨと異なるチャネルであっても良い。このとき、例えば、この比較対象のチャネルの受信信号電力の平均化開始位置がＡＩＣＨの平均化開始位置よりも前のタイミングである場合には、このチャネルの平均化を開始するまでにＡＧＣ制御におけるゲインレベルの更新とレベル固定モードへの遷移が完了するように、制御信号Ｃ２１に含まれる受信電力平均区間を調整したり、制御信号Ｃ２１を発する時刻を調整する。
【００６７】
本発明に係る無線受信装置は、上記の実施の形態１、２に限定されず、種々変更して実施することが可能である。例えば、実施の形態１、２は、適宜組み合わせて実施することが可能である。
【００６８】
本発明に係る無線受信装置は、ＣＤＭＡ以外の方式を用いた通信システムにおいても利用可能であり、これにより上記と同様の作用効果を有する無線受信装置を提供することができる。
【００６９】
なお、ここでは、本発明をハードウェアで構成する場合を例にとって説明したが、本発明はソフトウェアで実現することも可能である。
【産業上の利用可能性】
【００７０】
本発明に係る無線受信装置は、回路規模を縮小化する効果を有し、Ｗ−ＣＤＭＡ方式の移動体通信システム等に適用できる。
【図面の簡単な説明】
【００７１】
【図１】ＰＩＣＨのフレーム構成と受信電力平均化区間との関係を示す図
【図２】間欠受信モードにおける復帰処理とＰＩＣＨ受信電力平均化区間との関係を説明するための図
【図３】実施の形態１に係る移動端末装置の主要な構成を示すブロック図
【図４】実施の形態１に係るＡＧＣ制御の手順をゲインレベルと共に時間軸上に示した図
【図５】ＡＩＣＨのフレーム構成と受信電力平均化区間との関係を示す図
【図６】ＡＩＣＨ受信電力平均化区間とランダムアクセス処理との関係を説明するための図
【図７】実施の形態２に係る移動端末装置の主要な構成を示すブロック図
【図８】実施の形態２に係るＡＧＣ制御の手順をゲインレベルと共に時間軸上に示した図
【図９】従来の無線受信装置のＡＧＣ制御の手順をゲインレベルと共に時間軸上に示した図
【符号の説明】
【００７２】
１０３  ゲインアンプ
１０５  ＡＧＣ部
１０６、２０１  制御部
１０８  着信判定部
２０２  ＡＩＣＨ判定部
Ｃ１１〜Ｃ１３、Ｃ２１、Ｃ２２  制御信号
【図１】
2005167390.tif 000003
【図２】
2005167390.tif 000004
【図３】
2005167390.tif 000005
【図４】
2005167390.tif 000006
【図５】
2005167390.tif 000007
【図６】
2005167390.tif 000008
【図７】
2005167390.tif 000009
【図８】
2005167390.tif 000010
【図９】
2005167390.tif 000011